(57)【要約】      （修正有）【課題】先端部或いは後端部で対象物を打つ等の動作を行っても、容易に破損することなく、最適な使用形態を実現できる警杖を提供する。【解決手段】警杖は、袋体と、複数本の割竹を組み合わせて形成された杖本体と、からなる警杖であって、前記袋体の先端部に袋状の皮革を設けると共に、前記袋体の後端部の綴じ紐で結んである結び目部分に袋状の皮革を設けた。【選択図】図１
0003151751.tif 000002
【実用新案登録請求の範囲】
【請求項１】
複数本の割竹を組み合わせて形成された杖本体と、前記杖本体を梱包する袋体と、からなる警杖であって、
前記袋体の先端部に袋状の皮革を設けたことを特徴とする警杖。
【請求項２】
前記袋体の後端部の綴じ紐で結んである結び目部分に袋状の皮革を設けたことを特徴とする請求項１に記載の警杖。
【請求項３】
袋体と、複数本の割竹を組み合わせて形成された杖本体と、からなる警杖であって、
前記袋体の先端部に袋状の皮革を設けると共に、前記袋体の後端部の綴じ紐で結んである結び目部分に袋状の皮革を設けたことを特徴とする警杖。
【考案の詳細な説明】
【技術分野】
【０００１】
本考案は、警杖に関し、詳しくは警杖を構成する杖本体を包み込む袋体の先端部及び又は後端部に補強部材、例えば、袋状の皮革を取り付けることで、安易な破損を防止するようにした警杖に関する。
【背景技術】
【０００２】
従来の警杖は、図８乃至図１０に示すように、主要な構成要素である杖本体１１と、この杖本体１１に全体的に被せて梱包する袋体１２Ｂと、から大略構成されている。
【０００３】
杖本体１１は、長さ寸法が実施例においては１２２ｃｍに切り揃えられた原料の竹を、１０ｍｍの幅寸法で縦割りすることによって形成された６本の割竹１３と、６本の割竹１３が端面視で環状になるように組み合わされて形成された組合せ筒体１４（図８参照）内に内装される内芯１５と、組合せ筒体１４の各端部にそれぞれ内嵌される一対の栓部材１６と、組合せ筒体１４の先端側に外嵌される先柄革１７と、組合せ筒体１４の柄側に外嵌される後柄革１８とを備えている。
【０００４】
割竹１３は、断面形状が図８に示すように竹皮側を表側にして扇状に設定されている。そのため、各割竹１３のそれぞれの側面を互いに当接させるようにして連設することにより、断面形状が正六角形状の組合せ筒体１４が形成される。
【０００５】
内芯１５は、杖を対象物に打ち付けたときに、割竹１３同士が互いにぶつかり合わないようにするための緩衝材（エサフォーム）である。かかる内芯１５は、実施例においては、ウレタンフォーム等の発泡性合成樹脂によって形成され、長さ寸法が割竹１３のそれよりも若干短めに設定されている。
【０００６】
栓部材１６は、組合せ筒体１４の保形性を確保するべく、組合せ筒体１４の各端部に嵌入されるものである。かかる栓部材１６は、ゴムによって形成されており、一方が封鎖された円筒形状に形成され、その中心位置に径が組合せ筒体１４の内径寸法と略等しい栓部材本体２１と、組合せ筒体１４の外径に一致した大きさに形成された栓部材筒部２２とからなる。
【０００７】
先柄革１７は、組合せ筒体１４の切っ先部分に栓部材１６を取り付けた上から摺接状態で被せるものであり、皮革を袋状に縫製処理することによって形成されている。かかる先柄革１７には、開口近傍に紐２３ａ、２３ｂを通すための一対の鳩目２４ａ、２４ｂが２個対向する位置に設けられている。
【０００８】
後柄革１８は、組合せ筒体１４の柄部分に栓部材１６を取り付けた上から摺接状態で被せるものであり、先柄革１７と同じ形状に形成され、その長さは１３５ｍｍである。かかる後柄革１８にも、その開口近傍に紐２３ａ、２３ｂを通すための一対の鳩目２５ａ、２５ｂが２個対向する位置に設けられている。
この後柄革１８と先柄革１７は、説明上後柄革１８が手で把持する側で先柄革１７が対象物を打つ等する側であり、手で把持している後柄革１８側で打つ場合もある。
【０００９】
そして、各割竹１３の切っ先側を栓部材１６を取り付けた上から先柄革１７を被せると共に、各割竹１３の柄側を栓部材１６を取り付けた上から後柄革１８を被せた上で、先柄革１７の一つの鳩目２４ａ及び後柄革１８の鳩目２５ａに紐２３ａを通して締結する。同じく、先柄革１７のもう一つの鳩目２４ｂ及び後柄革１８の鳩目２５ｂに紐２３ｂを通して締結することにより、図９に示す、杖本体１１が完成する。
そして、この杖本体１１には、組合せ筒体１４を構成する割竹１３がくずれないように中央部にゴム等からなるチューブ３４で押さえ、且つチューブ３４で押さえた両側をビニールテープ３５を巻回して押さえる。
【００１０】
袋体１２Ｂは、全体的に杖本体１１に被せて梱包するもので、全長が１２５０ｍｍであり、ビニロン帆布等の強靭な織製品に所定の縫製処理を施すことによって形成されている。そして、先端側を縫合わせることで袋状に形成し、後端側は杖本体１１が収納できる大きさに開口した開口部３２を設け、その開口部３２の部位に袋止め紐３３を通して絞れる構造となっている。
【００１１】
以上のような袋体１２Ｂに開口部３２から杖本体１１を挿入して収納し、袋体１２Ｂに杖本体１１が収まった状態にして、開口部３２に設けてある袋止め紐３３を絞った状態にして結着することにより、図１０に示すように、杖本体１１が袋体１２Ｂに収納された状態になる。
【先行技術文献】
【特許文献】
【００１２】
【特許文献１】特開２００７−９７３３０号公報
【考案の概要】
【考案が解決しようとする課題】
【００１３】
しかしながら、従来技術で説明した警杖においては、袋体の先端及び後端が単に縫ってあるだけであるために、すぐに破れる等してしまうという問題がある。
【００１４】
従って、袋体を利用する警杖において、杖の袋体の破れを防止する構造に解決しなければならない課題を有する。
【課題を解決するための手段】
【００１５】
上記課題を解決するために、本考案に係る警杖は、次に示す構成にすることである。
【００１６】
（１）警杖は、複数本の割竹を組み合わせて形成された杖本体と、前記杖本体を梱包する袋体と、からなる警杖であって、前記袋体の先端部に袋状の皮革を設けたことである。
（２）前記袋体の後端部の綴じ紐で結んである結び目部分に袋状の皮革を設けたことを特徴とする（１）に記載の警杖。
【００１７】
（３）警杖は、袋体と、複数本の割竹を組み合わせて形成された杖本体と、からなる警杖であって、前記袋体の先端部に袋状の皮革を設けると共に、前記袋体の後端部の綴じ紐で結んである結び目部分に袋状の皮革を設けたことである。
【考案の効果】
【００１８】
以上、説明したように、本考案に係る警杖は、袋体の先端部或いは後端部の結び目の位置に袋状の皮革を設けた構造にすることで、先端部或いは後端部で対象物を打つ等の動作を行っても、皮革を設けた構造であるために、容易に破損することなく、最適な使用形態を実現できる。
【図面の簡単な説明】
【００１９】
【図１】本願考案の第１実施形態に係る警杖を分解した斜視図である。
【図２】同、割竹を組み合わせて組合せ筒体を形成した様子を示す斜視図である。
【図３】同、杖本体を組み立てた様子及び袋体の様子を示す斜視図である。
【図４】同、杖本体に袋体を梱包して生成された警杖の斜視図である。
【図５】本願考案の第２実施形態に係る警杖を分解した斜視図である。
【図６】同、杖本体を組み立てた様子及び袋体の様子を示す斜視図である。
【図７】同、杖本体に袋体を梱包して生成された警杖の斜視図である。
【図８】従来技術における警杖を分解した斜視図である。
【図９】同、杖本体を組み立てた様子及び袋体の様子を示す斜視図である。
【図１０】同、杖本体に袋体を梱包して生成された警杖の斜視図である。
【考案を実施するための形態】
【００２０】
次に、本考案に係る警杖の実施形態について、図面を参照して説明する。
【００２１】
本考案に係る第１実施形態の警杖は、図１乃至図４に示すように、主要な構成要素である杖本体１１と、この杖本体１１に全体的に被せて梱包する袋体１２と、から大略構成されている。
【００２２】
杖本体１１は、長さ寸法が実施例においては１２２ｃｍに切り揃えられた原料の竹を、実施例において１０ｍｍの幅寸法で縦割りすることによって形成された複数本、実施例においては６本の割竹１３と、複数本の割竹１３が端面視で環状になるように組み合わされて形成された組合せ筒体１４（図２参照）内に内装される内芯１５と、組合せ筒体１４の各端部にそれぞれ内嵌される一対の栓部材１６と、組合せ筒体１４の先端側に外嵌される先柄革１７と、組合せ筒体の柄側に外嵌される後柄革１８とを備えている。
【００２３】
割竹１３は、断面形状が図１に示すように竹皮側を表側にして扇状に設定されている。そのため、各割竹１３のそれぞれの側面を互いに当接させるようにして連設することにより、図２に示すように、断面形状が正六角形状の組合せ筒体１４が形成される。
【００２４】
内芯１５は、杖を対象物に打ち付けたときに、割竹１３同士が互いにぶつかり合わないようにするための緩衝材（エサフォーム）である。かかる内芯１５は、実施例においては、ウレタンフォーム等の発泡性合成樹脂によって形成され、長さ寸法が割竹１３のそれよりも若干短めに設定されている。
【００２５】
栓部材１６は、組合せ筒体１４の保形性を確保するべく、組合せ筒体１４の各端部に嵌入されるものである。かかる栓部材１６は、ゴムによって形成されており、一方が封鎖された円筒形状に形成され、その中心位置に径が組合せ筒体１４の内径寸法と略等しい栓部材本体２１と、組合せ筒体１４の外径に一致した大きさに形成された栓部材筒部２２とからなる。
【００２６】
先柄革１７は、組合せ筒体１４の切っ先部分に栓部材１６を取り付けた上から摺接状態で被せるものであり、皮革を袋状に縫製処理することによって形成されている。かかる先柄革１７には、開口近傍に紐２３ａ、２３ｂを通すための一対の鳩目２４ａ、２４ｂが２個対向する位置に設けられている。
【００２７】
後柄革１８は、組合せ筒体１４の柄部分に栓部材１６を取り付けた上から摺接状態で被せるものであり、先柄革１７と同じ形状に形成され、その長さは１３５ｍｍである。かかる後柄革１８にも、その開口近傍に紐２３ａ、２３ｂを通すための一対の鳩目２５ａ、２５ｂが２個対向する位置に設けられている。
この後柄革１８と先柄革１７は、説明上後柄革１８が手で把持する側で先柄革１７が対象物を打つ等する側であり、手で把持している後柄革１８側で打つ場合もある。
【００２８】
そして、各割竹１３の切っ先側を栓部材１６を取り付けた上から先柄革１７を被せると共に、各割竹１３の柄側を栓部材１６を取り付けた上から後柄革１８を被せた上で、先柄革１７の一つの鳩目２４ａ及び後柄革１８の鳩目２５ａに紐２３ａを通して締結する。同じく、先柄革１７のもう一つの鳩目２４ｂ及び後柄革１８の鳩目２５ｂに紐２３ｂを通して締結することにより、図３に示す、杖本体１１が完成する。
【００２９】
袋体１２は、全体的に杖本体１１に被せて梱包するもので、全長が１２５０ｍｍであり、ビニロン帆布等の強靭な織製品に所定の縫製処理を施すことによって形成されている。そして、本願考案の特徴とする袋状の皮革２６、２７を先端部及び後端部に設けた構造となっている。
【００３０】
先端部に設けた袋状の皮革２６は、袋体１２の先端部の縫い合わせた部位に更に皮革を被せたもので、布に皮革を被せて一緒に縫い合わせて形成されている。
【００３１】
後端部に設けた袋状の皮革２７は，綴じ紐３１で結んである結び目部分であるところの袋体１２の側面側に設けた杖本体１１を挿入する挿入口２８に設けたもので、挿入口２８に設けた紐通し部２９の部位を布製の上部に皮革を被せた構成となっている。
【００３２】
以上のような袋体１２に挿入口２８から杖本体１１を挿入して収納し、袋体１２に杖本体１１が収まった状態にして、挿入口２８に設けてある紐通し部２９に綴じ紐３１を通して絞った状態にして結着することにより、図４に示すように、杖本体１１が袋体１２に収納された状態になる。
そして、この杖本体１１には、組合せ筒体１４を構成する割竹１３がくずれないように中央部にゴム等からなるチューブ３４で押さえ、且つチューブ３４で押さえた両側をビニールテープ３５を巻回して押さえる。
【００３３】
このようにして完成した杖は、袋状の皮革２７側を持ち、袋状の皮革２６側で対象物を打つ等し、且つ袋状の皮革２７側でも打つ等しても革で保護されているため、簡単には破れ等することがない。
【００３４】
次に、本考案に係る警杖の第２実施形態について、図５乃至図７を参照して説明する。
【００３５】
本考案に係る第２実施形態の警杖は、上述した第１実施形態の警杖の構造と同じくし、相違するのは袋体の先端側のみに袋状の皮革を設けたことである。
【００３６】
第２実施形態の警杖は、図５乃至図７に示すように、主要な構成要素である杖本体１１と、この杖本体１１に全体的に被せて梱包する袋体１２Ａと、から大略構成されている。
【００３７】
杖本体１１は、長さ寸法が実施例においては１２２ｃｍに切り揃えられた原料の竹を、実施例において１０ｍｍの幅寸法で縦割りすることによって形成された複数本、実施例においては６本の割竹１３と、複数本の割竹１３が端面視で環状になるように組み合わされて形成された組合せ筒体１４（図５参照）内に内装される内芯１５と、組合せ筒体１４の各端部にそれぞれ内嵌される一対の栓部材１６と、組合せ筒体１４の先端側に外嵌される先柄革１７と、組合せ筒体１４の柄側に外嵌される後柄革１８とを備えている。
【００３８】
割竹１３は、断面形状が図１に示すように竹皮側を表側にして扇状に設定されている。そのため、各割竹１３のそれぞれの側面を互いに当接させるようにして連設することにより、図５に示すように、断面形状が正六角形状の組合せ筒体１４が形成される。
【００３９】
内芯１５は、杖を対象物に打ち付けたときに、割竹１３同士が互いにぶつかり合わないようにするための緩衝材（エサフォーム）である。かかる内芯１５は、実施例においては、ウレタンフォーム等の発泡性合成樹脂によって形成され、長さ寸法が割竹１３のそれよりも若干短めに設定されている。
【００４０】
栓部材１６は、組合せ筒体１４の保形性を確保するべく、組合せ筒体１４の各端部に嵌入されるものである。かかる栓部材１６は、ゴムによって形成されており、一方が封鎖された円筒形状に形成され、その中心位置に径が組合せ筒体１４の内径寸法と略等しい栓部材本体２１と、組合せ筒体１４の外径に一致した大きさに形成された栓部材筒部２２とからなる。
【００４１】
先柄革１７は、組合せ筒体１４の切っ先部分に栓部材１６を取り付けた上から摺接状態で被せるものであり、皮革を袋状に縫製処理することによって形成されている。かかる先柄革１７には、開口近傍に紐２３ａ、２３ｂを通すための一対の鳩目２４ａ、２４ｂが２個対向する位置に設けられている。
【００４２】
後柄革１８は、組合せ筒体１４の柄部分に栓部材１６を取り付けた上から摺接状態で被せるものであり、先柄革１７と同じ形状に形成され、その長さは１３５ｍｍである。かかる後柄革１８にも、その開口近傍に紐２３ａ、２３ｂを通すための一対の鳩目２５ａ、２５ｂが２個対向する位置に設けられている。
この後柄革１８と先柄革１７は、説明上後柄革１８が手で把持する側で先柄革１７が対象物を打つ等する側であり、手で把持している後柄革１８側で打つ場合もある。
【００４３】
そして、各割竹１３の切っ先側を栓部材１６を取り付けた上から先柄革１７を被せると共に、各割竹１３の柄側を栓部材１６を取り付けた上から後柄革１８を被せた上で、先柄革１７の一つの鳩目２４ａ及び後柄革１８の鳩目２５ａに紐２３ａを通して締結する。同じく、先柄革１７のもう一つの鳩目２４ｂ及び後柄革１８の鳩目２５ｂに紐２３ｂを通して締結することにより、図６に示す、杖本体１１が完成する。
そして、この杖本体１１には、組合せ筒体１４を構成する割竹１３がくずれないように中央部にゴム等からなるチューブ３４で押さえ、且つチューブ３４で押さえた両側をビニールテープ３５を巻回して押さえる。
【００４４】
袋体１２Ａは、全体的に杖本体１１に被せて梱包するもので、全長が１２５０ｍｍであり、ビニロン帆布等の強靭な織製品に所定の縫製処理を施すことによって形成されている。そして、本願考案の特徴とする袋状の皮革２６を先端部に設け、後端部は杖本体１１を挿入して収納するための開口部３２を有し、その開口部３２の部位に袋止め紐３３を通して絞れる構造となっている。
【００４５】
先端部に設けた袋状の皮革２６は、袋体１２Ａの先端部の縫い合わせた部位に更に皮革を被せたもので、布に皮革を被せて一緒に縫い合わせて形成されている。
【００４６】
以上のような袋体１２Ａに開口部３２から杖本体１１を挿入して収納し、袋体１２Ａに杖本体１１が収まった状態にして、開口部３２に設けてある袋止め紐３３を絞った状態にして結着することにより、図７に示すように、杖本体１１が袋体１２Ａに収納された状態になる。
【００４７】
このようにして完成した警杖は、後端部を持ち、袋状の皮革２６側で対象物を打つ等しても革で保護されているため、簡単には破れ等することがない。
【産業上の利用可能性】
【００４８】
袋体の先端部或いは後端部に袋状の皮革を設けた構造にすることで、先端部或いは後端部で対象物を打つ等の動作を行っても、皮革を設けた構造であるために、容易に破損することなく、最適な使用形態を実現できる警杖を提供する。
【符号の説明】
【００４９】
１１      杖本体
１２      袋体
１２Ａ    袋体
１３      割竹
１４      組合せ筒体
１５      内芯
１６      栓部材
１７      先柄革
１８      後柄革
２１      栓部材本体
２２      栓部材筒部
２３ａ    紐
２３ｂ    紐
２４ａ    鳩目
２４ｂ    鳩目
２５ａ    鳩目
２５ｂ    鳩目
２６      皮革
２７      皮革
２８      挿入口
２９      紐通し部
３１      綴じ紐
３２      開口部
３３      袋止め紐
【図１】
0003151751.tif 000003
【図２】
0003151751.tif 000004
【図３】
0003151751.tif 000005
【図４】
0003151751.tif 000006
【図５】
0003151751.tif 000007
【図６】
0003151751.tif 000008
【図７】
0003151751.tif 000009
【図８】
0003151751.tif 000010
【図９】
0003151751.tif 000011
【図１０】
0003151751.tif 000012